(57)【要約】      （修正有）【課題】エレベータ等の複数の運搬手段に対する乗客等の振り分け情報をエレベータホール等の入り口等で表示し、効率的な振り分けを可能とするＩＤ情報による振り分けシステムの提供。【解決手段】複数のエレベータ等の各運搬手段の状態とＲＦ−ＩＤ（Radio Frequency Identification）タグに応じた行き先情報に基づく運行制御信号により運搬手段群６００の運行を制御する振り分け制御装置５００と、ＲＦ−ＩＤタグからデータを読み取るＲＦ−ＩＤリーダ２００と、ＲＦ−ＩＤリーダ２００が読み取ったデータから当該被運搬対象の前記行き先情報を生成し前記振り分け制御装置５００に出力するとともに、前記振り分け制御装置５００から行き先情報に基づく運搬手段指定情報を取得し出力するサーバ装置３００と、前記運搬手段指定情報を入力し当該運搬対象に対し運搬手段群の何れかの運搬手段を指定する入り口のゲート等に設置した運搬手段指定装置４００を備える。【選択図】図１
2007314280.tif 000002
【特許請求の範囲】
【請求項１】
少なくとも個々を識別するＩＤ情報が記憶されたＲＦ−ＩＤ（Radio Frequency Identification）保持媒体と関連して被運搬対象を複数の運搬手段からなる運搬手段群の何れかの運搬手段に振り分け、当該ＲＦ−ＩＤ保持媒体に応じた行き先に運搬するためのＩＤ情報による振り分けシステムであって、
各運搬手段の状態とＲＦ−ＩＤ保持媒体に応じた行き先情報に基づく運行制御信号により運搬手段群の運行を制御する振り分け制御装置と、前記ＲＦ−ＩＤ保持媒体からデータを読み取るＲＦ−ＩＤリーダと、ＲＦ−ＩＤリーダが読み取ったデータから当該被運搬対象の前記行き先情報を生成し前記振り分け制御装置に出力するとともに、前記振り分け制御装置から行き先情報に基づく運搬手段指定情報を取得し出力するサーバ装置と、前記運搬手段指定情報を入力し当該運搬対象に対し運搬手段群の何れかの運搬手段を指定する運搬手段指定装置と、を備えることを特徴とするＩＤ情報による振り分けシステム。
【請求項２】
前記ＲＦ−ＩＤ保持媒体はＩＤ情報に対応する行き先情報を記憶しており、前記サーバ装置は前記ＲＦ−ＩＤ保持媒体から行き先情報をも取得することを特徴とする請求項１記載のＩＤ情報による振り分けシステム。
【請求項３】
前記サーバ装置はＩＤ情報とその行き先情報を関連付けたデータを有し、該データによりＩＤ情報に対応する行き先情報を取得することを特徴とする請求項１記載のＩＤ情報による振り分けシステム。
【請求項４】
前記運搬手段指定装置は、前記被運搬対象を運搬する運搬手段を可視表示又は音声表示により指定する表示装置を備えることを特徴とする請求項１、２又は３記載のＩＤ情報による振り分けシステム。
【請求項５】
前記運搬手段群は被運搬対象が商品等の運搬手段群であり、運搬手段指定装置は、前記被運搬対象を前記運搬手段群の何れかの運搬手段へ搬送する搬送システムであることを特徴とする請求項１ないし４の何れかの請求項記載のＩＤ情報による振り分けシステム。
【請求項６】
振り分け制御装置はエレベータ制御装置、前記運搬手段指定情報はエレベータ指定情報、前記運搬手段群はエレベータ群であることを特徴とする請求項１ないし４の何れかの請求項記載のＩＤ情報による振り分けシステム。
【請求項７】
前記ＲＦ−ＩＤリーダは、エレベータを備える建築物のエレベータホールの入り口又は前記建築物の入り口に設置され、前記表示装置は当該ＲＦ−ＩＤリーダ又はその近傍に設置されることを特徴とする請求項６記載のＩＤ情報による振り分けシステム。
【請求項８】
前記表示装置はエレベータを可視表示又は音声表示により指定する表示部を備える携帯通信端末であり、前記ＲＦ−ＩＤ保持媒体はＩＤ情報に対応する携帯通信端末の電子メールアドレス情報を記憶し、又は前記サーバ装置はＩＤ情報とその行き先情報を関連付けたデータを有し、サーバ装置はＩＤ情報に対応する電子メールアドレスにより前記エレベータ指定情報を電子メールにより前記携帯通信端末に出力することを特徴とする請求項６又は７記載のＩＤ情報による振り分けシステム。
【請求項９】
前記ＲＦ−ＩＤ保持媒体は携帯通信端末に内臓されていることを特徴とする請求項６、７又は８記載のＩＤ情報による振り分けシステム。
【請求項１０】
前記エレベータ制御装置は、エレベータの停止階パターンとして、複数の所定の停止階の組み合わせを予め設定しておき、エレベータ制御装置が受信した行き先階情報の行き先階が停止階に含まれる複数の所定の停止階の組み合わせの停止階パターンを、現在その階に到着している、もしくは、一番早くその階に到着するエレベータに設定し、そのエレベータを乗るべきエレベータとするエレベータ指定情報をサーバ装置へ送信することを特徴とする請求項６ないし９の何れかの請求項記載のＩＤ情報による振り分けシステム。
【請求項１１】
エレベータ制御装置が次に受信した行き先階情報の行き先階が、前の行き先階データで設定された複数の所定の停止階の組み合わせの停止階パターンの中に含まれる場合は、同じエレベータを乗るべきエレベータとするエレベータ指定情報をサーバ装置へ送信することを特徴とする請求項１０記載のＩＤ情報による振り分けシステム。
【請求項１２】
エレベータ制御装置が次に受信した行き先階情報の行き先階が、前の行き先階データで設定された複数の所定の停止階の組み合わせの停止階パターンの中に含まれない場合は、次に受信した行き先階が停止階に含まれる別の複数の所定の停止階の組み合わせの停止階パターンを、現在その階に到着している複数のエレベータの内、既に複数の所定の停止階の組み合わせの停止階パターンが設定されたエレベータ以外のエレベータ、もしくは、次に早くその階に到着するエレベータに設定し、そのエレベータを乗るべきエレベータとするエレベータ指定情報をサーバ装置へ送信することを特徴とする請求項１１記載のＩＤ情報による振り分けシステム。
【発明の詳細な説明】
【技術分野】
【０００１】
本発明はＩＤ情報による振り分けシステムに関し、特にエレベータ等の運搬手段への乗客や商品を振り分けるＩＤ情報による振り分けシステムに関に関する。
【背景技術】
【０００２】
複数の運搬手段（運搬手段群）で乗客や商品等を運搬する場合、運搬手段群の運行を効率的に制御する運搬の最適化の制御に加え、運搬される対象を個々の運搬手段へ最適に振り分ける振り分け指定の制御が重要である。
【０００３】
例えば近年、ビルは高層化され、そのビル内の移動にはエレベータを使わざるをえないが、特に、通勤時間帯等の特定時間帯では、１階等の入り口に相当する階からエレベータに乗る人の数が多く、混雑のためエレベータ乗り場前に行列ができ、目的階に達するまでに相当の時間を要していた。また、エレベータに乗る人は、それぞれ行き先が異なり、エレベータに多人数が乗ることとあいまって各階停まりになり、さらに、エレベータ輸送の回転を悪化させていた。
【０００４】
また、最近のエレベータ全体を制御する群制御を行うエレベータ群であっても、各階での呼び出しに対し個々のエレベータでは停止階をとばし全体として全ての階の呼び出しに応えることで、多少はエレベータの回転があがるが、乗る人の行き先は制御できず、予めエレベータ毎に予め停止階を決めておき、乗る人自身が判断して自身の行き先階に停まるエレベータを選択するなどの対策しかできず、予め決められた停止階の特定のエレベータのみが他より込むなど、エレベータ制御の効率化には限界があった。
【０００５】
そこで、エレベータ等に乗る人それぞれの行き先を把握し、行き先を考慮したエレベータ等の運行制御を行う最適制御システムも知られている（特許文献１参照）。本特許文献１のエレベータ最適制御システムではエレベータに乗る人それぞれの行き先を乗客が所有するＲＦ−ＩＤにより読み取ったデータにより検出し、エレベータ毎の停止階の表示を制御し、乗客にそれぞれの行き先に応じた停止階の表示を確認させてエレベータを選択させ、結果的に乗客をエレベータに振り分け、効率的なエレベータの運行を実現しようとするものである。
【特許文献１】特開２００５−１４５６９２号公報
【発明の開示】
【発明が解決しようとする課題】
【０００６】
従来の最適制御システムは、例えばエレベータ制御システムのように、運搬手段等（利用施設、車両等）自体の運行を最適化制御されたとしても、利用者としては運搬手段等に個別に表示されたパターン情報等を判断して利用すべき運搬手段等を選択する振り分けシステムということができる。
【０００７】
従って、従来の最適制御システムでは複数の利用施設、車両等に対する振り分けが効率的に行われておらず、強いては運搬手段等の効率的な運行が実現できていなかった。
【０００８】
本発明の目的は、複数の運搬手段に対する被運搬対象の振り分け情報を当該施設の入り口等で表示することが可能であり、効率的な振り分けを実現することが可能とするＩＤ情報による振り分けシステムを提供することにある。
【０００９】
本発明の他の目的は、複数の運搬手段に対する利用者の振り分け情報を当該施設の入り口等で表示することにより指定し、利用者の判断に頼らずに効率的な振り分けを可能とするＩＤ情報による振り分けシステムを提供することにある。
【００１０】
本発明の他の目的は、エレベータホール等の入り口等に設置した表示装置に乗るべきエレベータ自体を指定する情報を表示するようにしたＩＤ情報による振り分けシステムを提供することにある。
【００１１】
本発明の他の目的は、携帯通信端末の表示部に乗るべきエレベータ自体を指定する情報を表示するようにしたＩＤ情報による振り分けシステムを提供することにある。
【００１２】
本発明の他の目的は、エレベータホール等の入り口等に設置された表示装置又は使用者の携帯通信端末に、乗るべきエレベータを指定する情報をエレベータ番号やエレベータの位置を指定する地図などにより表示するようにしたＩＤ情報による振り分けシステムを提供することにある。
【課題を解決するための手段】
【００１３】
本発明のＩＤ情報による振り分けシステムは、少なくとも個々を識別するＩＤ情報が記憶されたＲＦ−ＩＤ（Radio Frequency Identification）保持媒体と関連して被運搬対象を複数の運搬手段からなる運搬手段群の何れかの運搬手段に振り分け、当該ＲＦ−ＩＤ保持媒体に応じた行き先に運搬するためのＩＤ情報による振り分けシステムであって、
各運搬手段の状態とＲＦ−ＩＤ保持媒体に応じた行き先情報に基づく運行制御信号により運搬手段群の運行を制御する振り分け制御装置と、前記ＲＦ−ＩＤ保持媒体からデータを読み取るＲＦ−ＩＤリーダと、ＲＦ−ＩＤリーダが読み取ったデータから当該被運搬対象の前記行き先情報を生成し前記振り分け制御装置に出力するとともに、前記振り分け制御装置から行き先情報に基づく運搬手段指定情報を取得し出力するサーバ装置と、前記運搬手段指定情報を入力し当該運搬対象に対し運搬手段群の何れかの運搬手段を指定する運搬手段指定装置と、を備え、前記ＲＦ−ＩＤ保持媒体はＩＤ情報に対応する行き先情報を記憶し、前記サーバ装置は前記ＲＦ−ＩＤ保持媒体から行き先情報をも取得し、又は、前記サーバ装置はＩＤ情報とその行き先情報を関連付けたデータを有し、該データによりＩＤ情報に対応する行き先情報を取得し、更に、前記運搬手段指定装置は、前記被運搬対象を運搬する運搬手段を可視表示又は音声表示により指定する表示装置を備えることを特徴とする。
【００１４】
また、前記発明の前記運搬手段群は被運搬対象が商品等の運搬手段群であり、運搬手段指定装置は、前記被運搬対象を前記運搬手段群の何れかの運搬手段へ搬送する搬送システムである、又は、前記発明の振り分け制御装置はエレベータ制御装置、前記運搬手段指定情報はエレベータ指定情報、前記運搬手段群はエレベータ群である、ことを特徴とする。
【００１５】
また、振り分け制御装置をエレベータ制御装置とする発明において、前記ＲＦ−ＩＤリーダは、エレベータを備える建築物のエレベータホールの入り口又は前記建築物の入り口に設置され、前記表示装置は当該ＲＦ−ＩＤリーダ又はその近傍に設置されることを特徴とする。
【００１６】
更に、前記表示装置はエレベータを可視表示又は音声表示により指定する表示部を備える携帯通信端末であり、前記ＲＦ−ＩＤ保持媒体はＩＤ情報に対応する携帯通信端末の電子メールアドレス情報を記憶し、又は前記サーバ装置はＩＤ情報とその行き先情報を関連付けたデータを有し、サーバ装置はＩＤ情報に対応する電子メールアドレスにより前記エレベータ指定情報を電子メールにより前記携帯通信端末に出力することを特徴とする。更に、前記ＲＦ−ＩＤ保持媒体は携帯通信端末に内臓されていることを特徴とする。
【００１７】
また、本発明のエレベータ制御に関して、エレベータ制御装置は、エレベータの停止階パターンとして、複数の所定の停止階の組み合わせを予め設定しておき、エレベータ制御装置が受信した行き先階の停止階が含まれる複数の所定の停止階の組み合わせの停止階パターンを、現在その階に到着している、もしくは、一番早くその階に到着するエレベータに設定し、そのエレベータを乗るべきエレベータとするエレベータ指定情報をサーバ装置へ送信し、エレベータ制御装置が次に受信した行き先階が、前の行き先階データで設定された複数の所定の停止階の組み合わせの停止階パターンの中に含まれる場合は、同じエレベータを乗るべきエレベータとするエレベータ指定情報をサーバ装置へ送信し、エレベータ制御装置が次に受信した行き先階が、前の行き先階データで設定された複数の所定の停止階の組み合わせの停止階パターンの中に含まれない場合は、次に受信した停止階に含まれる別の複数の所定の停止階の組み合わせの停止階パターンを、現在その階に到着している複数のエレベータの内、既に複数の所定の停止階の組み合わせの停止階パターンが設定されたエレベータ以外のエレベータ、もしくは、次に早くその階に到着するエレベータに設定し、そのエレベータを乗るべきエレベータとするエレベータ指定情報をサーバ装置へ送信することを特徴とする。
【００１８】
本発明のＩＤ情報による振り分けシステムは、具体的には、少なくとも個人を識別するＩＤ情報が記憶されているＲＦ−ＩＤタグ（又はＲＦ−ＩＤタグが内蔵された携帯通信端末）と、ＲＦ−ＩＤタグ内に記憶されたデータを読み取るＲＦ−ＩＤリーダと、表示データを表示する表示装置と、複数のエレベータから成るエレベータ群と、エレベータ群を制御し、エレベータ群の各エレベータの状態を入手するエレベータ制御装置と、ＲＦ−ＩＤリーダからデータを受け取るインターフェース部、個人識別情報とその個人識別情報に関連付けされた行き先階のデータが記憶される記憶部、可視表示又は音声合成による音声表示を行う表示装置に表示データを送る表示制御部（又は電子メールを送る電子メール送信部）、エレベータ制御装置と通信する通信部、インターフェース部と通信部と記憶部と表示制御部（又は電子メール送信部）を制御する制御部を少なくとも含むサーバ装置とを備える。
【００１９】
より具体的には、個人を識別するＩＤ情報（個人識別情報）が記憶されたＲＦ−ＩＤタグをＲＦ−ＩＤリーダが設置されたビルの入り口のゲートにかざす事により、ＲＦ−ＩＤリーダが個人識別情報を読み取り、その個人識別情報をサーバ装置に送り、サーバ装置に記憶された個人識別情報とその個人識別情報に関連付けされた行き先階のデータから、そのＲＦ−ＩＤタグを持つ個人の行き先階が検出され（あるいは、ＲＦ−ＩＤタグに行き先階情報が含まれており、ＲＦ−ＩＤリーダによりその行き先階情報を読み取られ、なお、この場合、個人識別情報とその個人識別情報に関連付けされた電子メールアドレスのデータは不要である。）、その個人の行き先階情報がエレベータを管理するエレベータ制御装置に個人識別情報と共に送信され（行き先階情報の個人を特定できるように通し番号等と共に送信され、又は順番に処理することで行き先階情報の個人を取り違えることがないことを条件に、行き先階情報のみ送信され）、エレベータ制御装置は、各エレベータの運行状況を最適化した上で、その行き先階情報の個人の乗るべきエレベータ指定情報を決定し、サーバ装置へその個人識別情報の示す個人が乗るべきエレベータのエレベータ指定情報を送信する。サーバ装置は、ゲートに設置された表示部に乗るべきエレベータのエレベータ指定情報、例えば、エレベータ番号やエレベータの位置を指定する地図など、乗るべきエレベータを特定するための情報を表示する。
【００２０】
あるいは、サーバ装置は電子メール送信部を有し、サーバ装置に記憶された個人識別情報とその個人識別情報に関連付けされた電子メールアドレスのデータから（あるいは、ＲＦ−ＩＤタグに電子メールアドレスのデータが含まれており、ＲＦ−ＩＤリーダによりその電子メールアドレスが読み取り）、その電子メールアドレスに乗るべきエレベータ指定情報を電子メールにて送信される。このとき、ＲＦ−ＩＤタグの代わりに、ＲＦ−ＩＤタグが内蔵された携帯通信端末（無線通信による電子メール受信機能を有する、携帯電話、ＰＨＳ、ＰＤＡ、パソコン、等）であって、携帯通信端末をビルの入り口のゲートにかざし、乗るべきエレベータのエレベータ指定情報は、ゲートに設置された表示部に表示されても良いし、電子メールアドレスはその携帯通信端末の電子メールアドレスであって、その携帯通信端末に乗るべきエレベータのエレベータ指定情報が送信されても良い。その携帯通信端末の所持者は、送られた電子メールを見ることにより、自身が乗るべきエレベータを知るように構成される。
【００２１】
また、ＲＦ−ＩＤタグが商品等のものに付属する場合であって、ＲＦ−ＩＤリーダにかざす事により識別情報が読み取られ、その識別情報をサーバ装置に送られ、サーバ装置に記憶された識別情報とその識別情報に関連する行き先のデータから、そのＲＦ−ＩＤタグが付いているものの行き先を検出し（あるいは、ＲＦ−ＩＤに行き先のデータが含まれており、ＲＦ−ＩＤリーダがその行き先のデータを読み取り）、その行き先情報をトラック行き先の指示とトラックに載せるものの振り分けを指示する振り分け制御装置に、識別情報と共に送信し、振り分け制御装置は各トラックの行き先とその経路を最適化した上で、その行き先情報のものが乗るべきトラック指定情報を決定し、サーバ装置へ識別情報とその識別情報の示すものが乗るべきトラックのトラック指定情報を送信する。サーバ装置は、ＲＦ−ＩＤリーダに設置された表示部、あるいは、別の表示装置に乗るべきトラック指定情報、例えば、トラック番号など、乗るべきトラックを特定するための情報を表示する。あるいは、ＲＦ−ＩＤタグが付いているものがベルトコンベヤやロボット等を使用した自動搬送システムにてトラックに積まれる場合、乗るべきトラックのトラック指定情報を自動搬送システムに送信する。
【発明の効果】
【００２２】
本発明によれば、複数の運搬手段に対する被運搬対象の振り分け情報を当該施設の入り口のゲート等で表示することが可能であり、効率的な振り分けを実現することが可能である。
【００２３】
本発明の運搬手段がトラック等の場合には、トラック等に対する商品等の振り分け情報を搬送箇所（ゲート）等に設置した表示装置にトラック指定情報等を表示することにより、搬送の作業者等の判断に頼らずに効率的な運搬手段への振り分けが可能となる。また、ベルトコンベヤやロボット等を使用した自動搬送システムによりトラック等に積む場合、トラック指定情報により前記自動搬送システムを制御することで効率的な自動振り分けが可能となる。
【００２４】
本発明の運搬手段がエレベータの場合には、エレベータに対する被運搬対象の利用者等の振り分け情報をエレベータホール等の入り口等に設置した表示装置に乗るべきエレベータを指定する情報が表示されるから、利用者等の判断に頼らずに効率的なエレベータへの振り分けが可能となる。
【００２５】
また、携帯通信端末（携帯電話機）を利用すれば、その表示部に乗るべきエレベータを指定する情報が表示されるので、ビルの入り口等からエレベータ等に至る間に利用者毎に乗るべきエレベータが指定され、効率的なエレベータへの振り分けが可能である。
【００２６】
更に、エレベータホール等の入り口等に設置した表示装置又は使用者の携帯通信端末に、乗るべきエレベータを指定する情報をエレベータ番号やエレベータの位置を指定する地図などにより表示することにより、利用者が迷うことなく乗るべきエレベータを確認でき、エレベータの運行遅延を改善できる効率的なエレベータ制御システムが実現できる。
【００２７】
以上のように本発明によれば、振り分けシステム側において、運搬手段群（例えばエレベータ）で運搬する被運搬対象（例えばエレベータの乗客）のそれぞれの行き先をＲＦ−ＩＤから読み取った個人識別情報を利用して検出し、それぞれの行き先により各運搬手段に振り分けるため、被運搬対象の行き先がばらばらである場合に比べて、行き先への停止回数が少なくなり、被運搬対象は速く目的箇所に着くことができ、かつ運搬手段の単位時間当たりの往復回数が増えて輸送能力が増え、より効率的な運搬手段（例えばエレベータ）の運行が実現できる。
【発明を実施するための最良の形態】
【００２８】
次に、本発明のＩＤ情報による振り分けシステムの一実施の形態について図面を参照して詳細に説明する。
【００２９】
図１は本発明の実施の形態のＩＤ情報による振り分けシステムを示す図である。本実施の形態では、運搬手段で移動する乗客又は商品等（「被運搬対象」という。）の個々を識別するＩＤ情報（それぞれ個別識別情報又は個人識別情報等）が記憶され、非接触でＩＤ情報及びデータの読出しやデータの書換えが可能な無線ＩＣタグで代表されるＲＦ−ＩＤ（Radio Frequency Identification）を保持する媒体（「ＲＦ−ＩＤ保持媒体」という。以下、単にＲＦ−ＩＤともいう。）１００と、交信領域内のＲＦ−ＩＤ１００と交信し、ＲＦ−ＩＤ１００内に記憶されたデータの読み取りが可能なＲＦ−ＩＤリーダ２００と、運搬手段等の入り口のゲート等に設置され、指定データを得て被運搬対象に関し運搬手段を指定する運搬手段指定装置４００と、複数の運搬手段から成る運搬手段群６００と、運搬手段群６００と接続され、運搬手段群６００内の各運搬手段の位置などの状態を取得し、かつ運搬手段群６００を最適化制御する振り分け制御装置５００と、ＲＦ−ＩＤリーダ２００からデータを受け取るインターフェース部３２０、関連付けられた表形式等のデータが記憶される記憶部３４０、運搬手段指定装置４００に運搬手段指定情報を送る指定制御部３５０、振り分け制御装置５００とデータを通信する通信部３３０、インターフェース部３２０と通信部３３０と記憶部３４０と指定制御部３５０を制御する制御部３１０を少なくとも含むサーバ装置３００と、から構成されている。本実施の形態の各部の機能及び動作の概要は以下のとおりである。
【００３０】
被運搬対象がＲＦ−ＩＤリーダ２００が設置されているゲート等を通過すると、ＲＦ−ＩＤリーダ２００は被運搬対象が所持するセキュリティカード等に内蔵する又は被運搬対象に添付されたＲＦ−ＩＤ１００より、ＲＦ−ＩＤ１００内に記憶されているＩＤ情報（個人識別情報又は個別識別情報）を無線で受けとる。ＲＦ−ＩＤリーダ２００に読み取られたＩＤ情報はサーバ装置３００のインターフェース部３２０に送られる。
【００３１】
次に、サーバ装置３００内の制御部３１０は、インターフェース部３２０が入手したＩＤ情報と、記憶部３４０に記憶されたＩＤ情報毎の運搬手段による行き先（予定、予測、含む）の情報（行き先情報）を得る。制御部３１０は、行き先情報を通信部３３０を介して振り分け制御装置５００へ送る。振り分け制御装置５００は、運搬手段群６００の各運搬手段の運行状況を最適化した上で、その行き先情報に対応する運搬手段指定情報を決定し、サーバ装置３００へその被運搬対象に対応する運搬手段の指定、すなわち運搬手段指定情報を送信する。送信された運搬手段指定情報はサーバ装置３００の通信部３３０が受け取り、制御部３１０が受け取った運搬手段指定情報は指定制御部３５０を介して運搬手段指定装置４００へ送られ、運搬手段指定装置４００は、運搬手段指定情報により被運搬対象が乗客や商品等が運搬される運搬手段に関して、例えば、運搬手段番号や運搬手段の位置を示す地図などで表示し、表示に代えて運搬手段番号等をテキストデータからの音声合成により音声により通知して指定し、又は例えば、商品等を運搬手段で運搬するために当該運搬手段に搬送する。
【００３２】
制御部３１０が行き先情報を通信部３３０を介して振り分け制御装置５００へ送る際、その行き先情報の被運搬対象を特定できるようにＩＤ情報と共に送信しても良いし、ＩＤ情報を得た順番に通し番号をとり、その通し番号と共に送信しても良い。この場合、振り分け制御装置５００がサーバ装置３００側に運搬手段指定情報を送信する際、ＩＤ情報、あるいは、通し番号と共に送信する。
【００３３】
この送信方法によれば、運搬手段指定情報の被運搬対象が特定できるので、例えば、複数のＲＦ−ＩＤリーダが設置されており、その一つ一つがゲートとなっている場合、そのゲートそれぞれの運搬手段指定装置に、そのゲートを通っている被運搬対象が乗るべき運搬手段指定情報をゲート間で取り違えることなく表示できる。もちろん、その行き先情報毎の被運搬対象を特定できれば良いので、複数のゲートが設置されておらず、行き先情報の送信が必ず順番に行われる場合は、ＩＤ情報や通し番号と共に送信する必要はない。
【００３４】
また、ＲＦ−ＩＤ１００にはＩＤ情報のみならず、行き先情報が含まれていても良く、この場合、記憶部３４０のＩＤ情報とそのＩＤ情報に関連付けされた行き先情報のデータは必須ではない。
【００３５】
以下、本発明のＩＤ情報による振り分けシステムをより具体的な実施例により詳細に説明する。
【実施例１】
【００３６】
（構成の説明）
図２は本発明の第１の実施例１のＩＤ情報による振り分けシステムを示す図である。運搬手段をエレベータとした実施例である。実施例１は、個人を識別するＩＤ情報（個人識別情報等）が記憶され、非接触でデータ読出しや書換えが可能なＲＦ−ＩＤ（Radio Frequency Identification）１０と、交信領域内のＲＦ−ＩＤと交信し、ＲＦ−ＩＤ内に記憶されたデータの読み取りが可能なＲＦ−ＩＤリーダ２０と、エレベータホール等の入り口のゲート等に設置され、表示データを得て表示する表示装置４０と、複数のエレベータから成るエレベータ群６０と、エレベータ群６０と接続され、エレベータ群６０内の各エレベータの位置などの状態を取得し、かつ、エレベータ群６０を制御するエレベータ制御装置５０と、ＲＦ−ＩＤリーダ２０からデータを受け取るインターフェース部３２、関連付けられた表形式等のデータが記憶される記憶部３４、表示装置４０に表示データを送る表示制御部３５、エレベータ制御装置５０とデータを通信する通信部３３、インターフェース部３２と通信部３３と記憶部３４と表示制御部３５を制御する制御部３１を少なくとも含むサーバ装置３０と、から構成されている。
【００３７】
エレベータに乗る人がエレベータ群６０の何れかのエレベータに乗るために、ＲＦ−ＩＤリーダ２０が設置されているゲートを通ると、ＲＦ−ＩＤリーダ２０は、エレベータに乗る人が携行するセキュリティカードに内蔵されたＲＦ−ＩＤ１０に記憶されている個人識別情報を無線で受けとる。ＲＦ−ＩＤリーダ２０に読み取られた個人識別情報は、サーバ装置３０のインターフェース部３２に送られる。
【００３８】
図３は、記憶部３４に記憶されているデータの概念図である。図３を参照すると、記憶部３４には個人識別情報とエレベータの行き先情報（行き先階情報）が関連付け（紐付け）されて記憶されている。
【００３９】
次に、サーバ装置３０内の制御部３１は、インターフェース部３２が入手した個人識別情報と、記憶部３４に記憶された各個人識別情報毎の行き先階情報より、エレベータに乗る人の行き先の階、すなわち行き先階情報を得る。制御部３１は、行き先階情報を通信部３３を介してエレベータ制御装置５０へ送る。エレベータ制御装置５０は、エレベータ群６０の各エレベータの運行状況を最適化した上で、その行き先階情報の個人の乗るべきエレベータを決定し、サーバ装置３０へその個人識別情報の示す個人が乗るべきエレベータの情報、すなわちエレベータ指定情報を送信する。送信されたエレベータ指定情報は、サーバ装置３０の通信部３３が受け取り、制御部３１が受け取ったエレベータ指定情報を表示制御部３５を介して表示装置４０へ送り、表示制御装置４０は、エレベータ指定情報、すなわちその人が乗るべきエレベータを指定する情報である、例えば、エレベータ番号や、エレベータの位置を指定する地図などを表示する。
【００４０】
制御部３１が行き先階情報を通信部３３を介してエレベータ制御装置５０へ送る際、個人識別情報と共に送信しても良いし、その行き先階情報の個人を特定できれば良いので、個人識別情報を得た順番に通し番号をとり、その通し番号と共に送信しても良い。この場合、エレベータ制御装置５０がエレベータ指定情報を送信する際、個人識別情報、あるいは、通し番号と共に送信する。
【００４１】
この送信方法によれば、エレベータ指定情報の個人が特定できるので、例えば、複数のＲＦ−ＩＤリーダが設置されており、その一つ一つがゲートとなっている場合、そのゲートそれぞれの表示装置に、そのゲートを通っている個人の乗るべきエレベータ指定情報をゲート間で取り違えることなく表示できる。もちろん、その行き先階情報毎の個人を特定できれば良いので、複数のゲートが設置されておらず、行き先階情報の送信が必ず順番に行われる場合は、個人識別情報や通し番号と共に送信する必要はない。
【００４２】
サーバ装置３０は、ゲートに設置された表示装置４０に、乗るべきエレベータ指定情報、例えば、エレベータ番号や、エレベータの位置を指定する地図など、乗るべきエレベータを特定するための情報を表示する。また、表示に代えてエレベータ番号等をテキストデータからの音声合成により、音声にて通知しても良い。
【００４３】
また、ＲＦ−ＩＤ１０には、個人識別情報のみならず、行き先階情報が含まれていても良く、この場合、記憶部３４の個人識別情報とその個人識別情報に関連付けされた行き先階のデータは必須ではない。
【００４４】
（動作の説明）
次に、フローチャートを用いて本発明の実施例１の動作を詳細に説明する。  
図４は実施例１のサーバ装置の動作を示すフローチャートである。まず、エレベータに乗る人がゲートに設置されているＲＦ−ＩＤリーダ２０にＲＦ−ＩＤ１０をかざすと、ＲＦ−ＩＤリーダ２０はＲＦ−ＩＤ１０より個人識別情報を読み取る（ステップＳ１１）。ＲＦ−ＩＤリーダ２０が読み取った個人識別情報はサーバ装置３０のインターフェース部３２で受信する（ステップＳ１２）。サーバ装置３０内の制御部３１は、インターフェース部３２が受信した個人識別情報と、記憶部３４に記憶された各個人識別情報毎の行き先階情報により、エレベータに乗る人の行き先の階の情報、すなわち、行き先階情報を得る（ステップＳ１３）。制御部３１は、行き先階情報を通信部３３を介してエレベータ制御装置５０へ送信する（ステップＳ１４）。エレベータ制御装置５０は、エレベータ群６０の各エレベータの運行状況を最適化した上で、その行き先階情報によりその個人の乗るべきエレベータを決定し、サーバ装置３０へその個人識別情報の示す個人が乗るべきエレベータの情報、すなわちエレベータ指定情報を送信し、送信されたエレベータ指定情報はサーバ装置３０の通信部３３が受信する（ステップＳ１５）。制御部３１は通信部３３が受信したエレベータ指定情報を表示制御部３５を介して表示装置４０へ送り、表示制御装置４０は、その人が乗るべきエレベータを表示する（ステップＳ１６）。
【００４５】
図５は実施例１のエレベータ制御装置の動作を示すフローチャートである。まず、エレベータ制御装置５０は、サーバ装置３０の通信部３３より、エレベータに乗る人の行き先の階の情報、すなわち、行き先階情報を受信する（Ｓ３１）。エレベータ制御装置５０は、予め定めた複数の所定の停止階の組合せである複数の停止階パターンの中からその行き先階が含まれる停止階パターンをエレベータ群６０の内、現在その階に到着している、もしくは、一番早くその階に到着するエレベータに設定する（Ｓ３２）。エレベータ制御装置５０は、行き先階が含まれる停止階パターンを設定したエレベータを乗るべきエレベータとして指定する情報をエレベータ指定情報として、サーバ装置３０の通信部３３に送信する（Ｓ３３）。エレベータ制御装置５０は、サーバ装置３０の通信部３３より次の行き先階情報を受信する（Ｓ３４）。未到着の、又は未出発のエレベータの内、停止階パターンが設定されており、エレベータ制御装置５０が次に受信した行き先の階が含まれるエレベータがある場合は（Ｓ３５、ＹＥＳ）、そのエレベータを乗るべきエレベータとするエレベータ指定情報をサーバ装置３０の通信部３３へ送信し（Ｓ３６１）、次の行き先階情報を受信する処理ステップＳ３４に移行する。未到着の、又は未出発のエレベータの内、停止階パターンが設定されており、エレベータ制御装置５０が次に受信した行き先の階が含まれるエレベータがない場合は（Ｓ３５、ＮＯ）、エレベータ制御装置５０は、複数の停止階パターンの中からその行き先階が含まれる停止階パターンを、エレベータ群６０の内、停止階パターンが設定されていない現在その階に到着している、もしくは、次に早くその階に到着するエレベータに設定する（Ｓ３７１）。そのエレベータを乗るべきエレベータとするエレベータ指定情報として、サーバ装置３０の通信部３３へ送信し（Ｓ３７２）、次の行き先階情報を受信する処理ステップＳ３４に移行する。
【００４６】
エレベータ制御装置５０の動作は、上記の動作に限られるものではなく、各エレベータの運行状況を最適化した上で、その行き先階情報の個人の乗るべきエレベータのエレベータ指定情報を決定するものであれば、どの様なものでも良い。
【実施例２】
【００４７】
（構成の説明）
図６は本発明の第２の実施例２のＩＤ情報による振り分けシステムを示す図である。図６に示すように、本発明の実施例２では、前記実施例１と基本的な構成は同様であるが、サーバ装置３０は表示制御部３５に代えて電子メール送信部３６を備え、表示装置４０に代えて携帯通信端末７０（無線通信による電子メール受信機能を有する携帯電話機、ＰＨＳ、ＰＤＡ、パソコン等を含む）を備える。
【００４８】
電子メール送信部３６は、サーバ装置３０に記憶された個人識別情報とその個人識別情報に関連付けされた電子メールアドレス、あるいは、ＲＦ−ＩＤに電子メールアドレスが含まれている場合のその電子メールアドレスから、その個人の電子メールアドレスに、乗るべきエレベータのエレベータ指定情報を電子メールにて送信する送信機能を有する。
【００４９】
携帯通信端末７０の電子メールアドレスは電子メール送信部３６が送信する電子メールの電子メールアドレスとし、電子メール送信部３６から携帯通信端末７０に、乗るべきエレベータのエレベータ指定情報が送信され、表示（読み上げを含む）されるように構成される。携帯通信端末７０の所持者は、送られた電子メールを見ることにより、自身が乗るべきエレベータを知ることができる。
【００５０】
電子メール送信部３６は、携帯電話機が携帯電話ネットワークへ電子メールを無線で送信する送信機能と同様の機能を有し、携帯通信端末７０に電子メールを送信するように構成する。この場合のネットワーク８０は携帯電話ネットワークである。又は、電子メール送信部３６は有線にてインターネットに接続し、インターネットと携帯電話ネットワークを介して、携帯通信端末７０に電子メールを送信するように構成することができる。この場合のネットワーク８０はインターネットと携帯電話ネットワークが含まれるネットワークである。
【００５１】
図７は記憶部３４に記憶されているデータの概念図である。図７を参照すると、記憶部３４には個人識別情報と行き先階情報（行き先データ）と電子メールアドレスが関連付けされて記憶されている。
【００５２】
（動作の説明）
次に、本発明の実施例２の動作を詳細に説明する。  
図８は実施例２のサーバ装置の動作を示すフローチャートである。まず、エレベータに乗る人がゲートに設置されているＲＦ−ＩＤリーダ２０にＲＦ−ＩＤ１０をかざすと、ＲＦ−ＩＤリーダ２０はＲＦ−ＩＤ１０より個人識別情報を読み取る（ステップＳ２１）。ＲＦ−ＩＤリーダ２０が読み取った個人識別情報はサーバ装置３０のインターフェース部３２で受信する（ステップＳ２２）。サーバ装置３０内の制御部３１は、インターフェース部３２が受信した個人識別情報と、記憶部３４に記憶された各個人識別情報毎の行き先階情報と電子メールアドレスより、エレベータに乗る人の行き先の階の情報、すなわち、行き先階情報と、その個人の持つ携帯通信端末７０の電子メールアドレスを得る（ステップＳ２３）。制御部３１は、行き先階情報を通信部３３を介してエレベータ制御装置５０へ送信する（ステップＳ２４）。エレベータ制御装置５０は、エレベータ群６０の各エレベータの運行状況を最適化した上で、その行き先階情報によりその個人の乗るべきエレベータを決定し、サーバ装置３０へその個人識別情報の示す個人が乗るべきエレベータの情報、すなわちエレベータ指定情報を送信し、送信されたエレベータ指定情報はサーバ装置３０の通信部３３が受信する（ステップＳ２５）。制御部３１は通信部３３が受信したエレベータ指定情報を電子メール送信部３６を介してその個人の持つ携帯通信端末７０へ送り、携帯通信端末７０は当該個人の操作等により、その人が乗るべきエレベータを表示する（ステップＳ２６）。
【００５３】
本実施例２のエレベータ制御装置の動作は、実施例１の動作の一例（図５）と同様であるので説明は省略する。
【実施例３】
【００５４】
本発明の運搬手段をエレベータとする他の実施例として、実施例２又は３のＲＦ−ＩＤ１０をＲＦ−ＩＤタグ等を内臓する携帯通信端末とすることができる。
【００５５】
つまり本実施例３は、乗客はＲＦ−ＩＤ１０に代えてＲＦ−ＩＤタグ等を内臓する携帯通信端末７０をＲＦ−ＩＤリーダ２０にかざすことにより、表示装置４０又は携帯通信端末７０の表示部に乗るべきエレベータのエレベータ指定情報が表示されるように構成する。
【００５６】
このような携帯通信端末の利用によりビルの入り口等で別途ＲＦ−ＩＤタグを使用する必要がなく、携帯通信端末の利用のみでビルの入り口等からエレベータに至る間に利用者毎に乗るべきエレベータが同じ携帯通信端末に表示され、効率的なエレベータへの振り分けが可能となる。なお、実施例３の動作は前述の実施例１、２の動作と同様であるので説明を省略する。
【００５７】
また、以上の実施例のＲＦ−ＩＤ１０（携帯通信端末７０）、表示装置４０、サーバ装置３０及びエレベータ制御装置５０に関して各種の変更が可能である。
【００５８】
例えば、ＩＤ情報（個人識別情報、個別識別情報）は、セキュリティを確保するための情報であっても良く、ＲＦ−ＩＤ１０は、ＲＦ−ＩＤタグ等を内蔵したセキュリティカードであっても良い。この場合、サーバ装置はＩＤ情報が認められたものであるかどうか認証を行う認証サーバ装置であってもよく、個人識別情報より、ゲートを通過して良い人物かどうか判断して、通過してはならない人物である場合、ゲートを閉じる指示を出すものであっても良い。
【００５９】
更にＩＤ情報は、得意先情報であっても良く、ＲＦ−ＩＤ１０は、ＲＦ−ＩＤタグ等を内蔵したカード（会員カード、そのエレベータが設定された場所にある企業等が発行するポイントカードであっても良い）であっても良く、ＲＦ−ＩＤには、行きつけの店等がある階を行き先階データとして記憶しておくものであっても良い。
【００６０】
また、乗るべきエレベータのエレベータ指定情報は、例えば、エレベータ番号等のテキスト情報であっても良いし、エレベータの位置を指定する地図など画像情報であっても良いし、その他、携帯通信端末７０で表示可能なデータ形式、あるいは、読み上げ可能な音声データ形式等ならばどの様な形式のものであっても良い。
【００６１】
更に、以上の実施例のエレベータ制御装置の動作についても各種の変更が可能である。つまり、エレベータ制御装置による複数のエレベータの制御は、例えば、次のような制御を行うものであっても良い。
【００６２】
エレベータの停止階パターンとして、複数の所定の停止階の組み合わせを予め設定しておき、エレベータ制御装置が受信した行き先階データ、すなわち、行き先の階が停止階に含まれる複数の所定の停止階の組み合わせの停止階パターンを、現在その階に到着している、もしくは、一番早くその階に到着するエレベータに設定する。そのエレベータを乗るべきエレベータとするエレベータ指定情報をサーバ装置へ送信する。ここでエレベータには行き先の階を停止階として設定しても良い。
【００６３】
エレベータ制御装置が次に受信した行き先階データ、行き先の階が、前の行き先階データで設定された複数の所定の停止階の組み合わせの停止階パターンの中に含まれる場合は、同じエレベータを乗るべきエレベータとするエレベータ指定情報をサーバ装置へ送信する。行き先の階が前の行き先階と異なる場合には、エレベータに、さらに新たな行き先の階を停止階として設定しても良い。
【００６４】
エレベータ制御装置が次に受信した行き先階データ、行き先の階が、前の行き先階データで設定された複数の所定の停止階の組み合わせの停止階パターンの中に含まれない場合は、次に受信した行き先階データ、すなわち、新たな行き先の階が停止階に含まれる別の複数の所定の停止階の組み合わせの停止階パターンを、現在その階に到着している複数のエレベータの内、既に複数の所定の停止階の組み合わせの停止階パターンが設定されたエレベータ以外のエレベータ、もしくは、次に早くその階に到着するエレベータに設定する。そのエレベータを乗るべきエレベータとするエレベータ指定情報をサーバ装置へ送信する。エレベータには、行き先の階を停止階として設定しても良い。
【００６５】
エレベータ制御装置が次々と受信する行き先階データに応じて、同様に、各エレベータに、複数の所定の停止階の組み合わせの停止階パターンを設定してゆく。
【００６６】
エレベータの定員の所定割合に乗車人数が達した場合、あるいは、そのエレベータを乗るべきエレベータとするエレベータ指定情報としての指定が所定時間以上ない場合、そのエレベータを発進させても良い。
【００６７】
行き先階データは、複数の階を含んでいても良い。エレベータ制御が、停止する複数の所定の階の組み合わせを予め設定しておくもので、その行き先階データの複数の階が、予め設定された停止する複数の階に全て入らない場合、その行き先階データの複数の階に順位付けを行い、優先順位の低い階は無視して、優先順位の高い階でエレベータを割り当てても良い。
【００６８】
本システムによりエレベータの行き先が自動的に設定されても良いし、本システムは振り分けの指定のみで、行き先はそのエレベータの乗った各人が通常通り行き先階のボタンを押して指定するものでも良い。もちろん、エレベータの行き先が行き先階情報により自動的に設定される場合でも、そのエレベータの乗った各人が通常通り行き先階のボタンを押して行き先を追加で指定することができても良い。
【００６９】
エレベータ制御装置の動作は、上記の動作に限られるものではなく、各エレベータの運行状況を最適化した上で、その行き先階情報の個人の乗るべきエレベータのエレベータ指定情報を決定するものであれば、どの様なものでも良い。
【実施例４】
【００７０】
以上、運搬手段（輸送手段）をエレベータとする実施例について説明したが、本発明はエレベータへの乗客の振り分けにのみ適用されるものではなく、ＲＦ−ＩＤを使って行き先を知り、その行き先別に複数の運搬手段の一つに商品等を振り分けるシステムにも適用可能である。例えば、ＲＦ−ＩＤは人が所持するのではなく商品等（物品）に付属（添付）され、運搬手段をトラック等とする実施例が実現可能である。
【００７１】
本実施例では、商品等のＲＦ−ＩＤをＲＦ−ＩＤリーダにかざす事により、ＲＦ−ＩＤリーダは商品等の個別識別情報、あるいは、個別識別情報とその行き先情報を読み取ってサーバ装置に送る。サーバ装置は受信した個別識別情報とその個別識別情報に関連付けされた行き先のデータ、あるいは、読み取られた個別識別情報とその行き先情報から、当該ＲＦ−ＩＤが付いているものの行き先を知り、その個別識別情報の行き先情報を振り分け制御装置に送信し、前記振り分け制御装置は、各トラックの行き先とその経路を最適化した上で、その行き先情報のものが乗るべきトラックを指定する情報であるトラック指定情報を決定し、サーバ装置へ個別識別情報と前記トラック指定情報を送信する。サーバ装置は、ＲＦ−ＩＤリーダに設置された表示装置、あるいは、別の表示装置に、乗るべきトラック指定情報、例えばトラック番号など、乗るべきトラックを特定するための情報を表示する。あるいは、乗るべきトラックのトラック指定情報を表示するのではなく、そのものがベルトコンベヤやロボット等を使用した自動搬送システムにてトラックに積まれる場合、乗るべきトラック指定情報を自動搬送システムに送信する。
【００７２】
以上のように本実施例によれば、商品等、配送品毎にＲＦ−ＩＤが付され、そのＲＦ−ＩＤに記憶されたデータから行き先が検出され、その行き先に応じたトラックに前記商品等が振り分けられることが可能となり、効率的な配送が実現される。
【図面の簡単な説明】
【００７３】
【図１】本発明の実施の形態のＩＤ情報による振り分けシステムを示す図である。
【図２】本発明の第１の実施例１のＩＤ情報による振り分けシステムを示す図である。
【図３】実施例１の記憶部に記憶されているデータの概念図である。
【図４】実施例１のサーバ装置の動作を示すフローチャートである。
【図５】実施例１のエレベータ制御装置の動作を示すフローチャートである。
【図６】本発明の第２の実施例２のＩＤ情報による振り分けシステムを示す図である。
【図７】実施例２の記憶部に記憶されているデータの概念図である。
【図８】実施例２のサーバ装置の動作を示すフローチャートである。
【符号の説明】
【００７４】
１０  ＲＦ−ＩＤ保持媒体（ＲＦ−ＩＤ）
２０  ＲＦ−ＩＤリーダ
３０  サーバ装置
３１、３１０  制御部
３２、３２０  インターフェース部
３３、３３０  通信部
３４、３４０  記憶部
３５  表示制御部
３５０  指定制御部
３６  電子メール送信部
４０  表示装置
５０  エレベータ制御装置
６０  エレベータ群
７０  携帯通信端末
８０  ネットワーク
１００  ＲＦ−ＩＤ保持媒体
２００  ＲＦ−ＩＤリーダ
３００  サーバ装置
４００  運搬手段指定装置
５００  振り分け装置
６００  運搬手段群
【図１】
2007314280.tif 000003
【図２】
2007314280.tif 000004
【図３】
2007314280.tif 000005
【図４】
2007314280.tif 000006
【図５】
2007314280.tif 000007
【図６】
2007314280.tif 000008
【図７】
2007314280.tif 000009
【図８】
2007314280.tif 000010